(57)【要約】【課題】現在表示されている辞書情報の中で必要な情報だけを簡単に記憶し、簡単に呼び出すことが可能になる辞書機能を備えた電子装置を提供する。【解決手段】ユーザ所望の見出し語に対応した説明情報表示画面Ｇの検索表示状態において、所望の情報が記述された範囲ＬをペンＰによるタッチ操作に応じて指定すると、この指定の範囲Ｌに含まれる文字列が当該範囲Ｌを境界線にして、この説明情報表示画面Ｇ上で独立にウインドウ表示されると共に、同指定の範囲Ｌに含まれる文字列データに前記説明情報の見出し語を対応付けた付箋データＦとして付箋データメモリに記憶される。この記憶された付箋データＦは、例えば付箋データ見出し語の一覧画面ＡＦを表示させ、所望の見出し語を選択することで、当該選択された見出し語に対応付けられた付箋データＦが読み出されてウインドウ表示される。【選択図】      図３
2010015515.tif 000002
【特許請求の範囲】
【請求項１】
表示部と、
複数の見出し語と当該各見出し語の説明情報とを対応付けて記憶する辞書記憶手段と、
この辞書記憶手段により記憶された任意の見出し語に対応付けられた説明情報を前記表示部に表示させる説明情報表示制御手段と、
この説明情報表示制御手段により表示部に表示された説明情報の任意の範囲をユーザ操作に応じて指定する範囲指定手段と、
この範囲指定手段により指定された範囲の説明情報の部分を他の表示領域から独立して表示させる指定範囲独立表示制御手段と、
前記範囲指定手段により指定された範囲に対応する前記説明情報の文字列を抽出する文字列抽出手段と、
この文字列抽出手段により抽出された文字列をその説明情報の見出し語に対応付けた付箋データとして記憶する付箋データ記憶手段と、
を備えたことを特徴とする辞書機能を備えた電子装置。
【請求項２】
前記指定範囲独立表示制御手段により前記表示部に独立して表示された説明情報の指定範囲を、ユーザ操作に応じて移動して表示させる指定範囲移動表示制御手段を備えたことを特徴とする請求項１に記載の辞書機能を備えた電子装置。
【請求項３】
前記表示部に表示された説明情報の指定範囲の大きさを、ユーザ操作に応じて、当該指定範囲に含まれる文字列と共に拡大または縮小して表示させる指定範囲拡大縮小表示制御手段を備えたことを特徴とする請求項１または請求項２に記載の辞書機能を備えた電子装置。
【請求項４】
ユーザ操作に応じて、前記表示部に表示された説明情報の指定範囲に対応する文字列の重要語を判断し、その説明情報の指定範囲を、前記重要語に応じた文字列だけを含む範囲に変換する指定範囲変換手段を備えたことを特徴とする請求項１ないし請求項３の何れか１項に記載の辞書機能を備えた電子装置。
【請求項５】
前記付箋データ記憶手段により付箋データとして記憶された各文字列に対応する見出し語を前記表示部に一覧にして表示させる付箋見出し語一覧表示制御手段と、
この付箋見出し語一覧表示制御手段により表示された見出し語をユーザ操作に応じて選択し、この選択された見出し語に対応付けられた文字列を前記表示部に表示させる付箋見出し語からの付箋呼出表示制御手段と、
を備えたことを特徴とする請求項１ないし請求項４の何れか１項に記載の辞書機能を備えた電子装置。
【請求項６】
類義語のグループを前記表示部に一覧にして表示させるグループ一覧表示制御手段と、
このグループ一覧表示制御手段により表示された類義語のグループをユーザ操作に応じて選択すると、前記付箋データ記憶手段に記憶された付箋データに対応付けられた見出し語のうち前記選択されたグループに類義語として分類される見出し語を、前記表示部に選択可能に表示させる付箋見出し語表示制御手段と、
この付箋見出し語表示制御手段により表示された見出し語をユーザ操作に応じて選択し、この選択された見出し語に対応付けられた文字列を前記表示部に表示させる類義語グループからの付箋呼出表示制御手段と、
を備えたことを特徴とする請求項１ないし請求項５の何れか１項に記載の辞書機能を備えた電子装置。
【発明の詳細な説明】
【技術分野】
【０００１】
本発明は、辞書機能を備えた電子装置に関する。
【背景技術】
【０００２】
一般に電子辞書装置には、以前に検索した見出し語の情報を履歴として記憶する、ヒストリー機能がある。
【０００３】
このヒストリー機能では、記憶された見出し語のうちの所望の見出し語を、見出し語一覧から選択して指定すると、この指定された見出し語に対応した辞書の説明情報がその先頭から読み出されて表示される。このため、当該説明情報の内容が多い場合には、ユーザが参照したい説明情報の部分を画面スクロール機能などによって探し出す必要がある。
【０００４】
これを解決するため、検索時に参照していた見出し語に対応する説明情報内の行数までヒストリーに記憶しておき、当該ヒストリーに記憶された見出し語からその説明情報を読み出したときに、前記記憶された行数の部分を読み出して再表示するようにした電子辞書装置が考えられている（例えば、特許文献１参照。）。
【特許文献１】特開２０００−２４２６４４号公報
【発明の開示】
【発明が解決しようとする課題】
【０００５】
一方、辞書ユーザには、例えばある見出し語の説明情報を参照しているときに、過去に検索した特定の見出し語の説明情報の特定の部分を同時に参照したいニーズがある。しかしこのような場合、前記従来の電子辞書装置では、ヒストリー機能を起動して過去に検索した特定の見出し語の説明情報を参照することになるため、現在検索参照中の見出し語の説明情報をそのままに前記特定の見出し語の説明情報を同時に表示させて参照することは不可能であった。
【０００６】
また、前記従来のヒストリー機能では、過去に検索した見出し語の説明情報の中で参照したい情報がその一部分であっても、不要な情報まで表示されてしまうという問題があった。
【０００７】
本発明は、このような課題に鑑みなされたもので、現在表示されている辞書情報の中で必要な情報だけを簡単に記憶し、簡単に呼び出すことが可能になる辞書機能を備えた電子装置を提供することを目的とする。
【課題を解決するための手段】
【０００８】
請求項１に記載の辞書機能を備えた電子装置は、表示部と、複数の見出し語と当該各見出し語の説明情報とを対応付けて記憶する辞書記憶手段と、この辞書記憶手段により記憶された任意の見出し語に対応付けられた説明情報を前記表示部に表示させる説明情報表示制御手段と、この説明情報表示制御手段により表示部に表示された説明情報の任意の範囲をユーザ操作に応じて指定する範囲指定手段と、この範囲指定手段により指定された範囲の説明情報の部分を他の表示領域から独立して表示させる指定範囲独立表示制御手段と、前記範囲指定手段により指定された範囲に対応する前記説明情報の文字列を抽出する文字列抽出手段と、この文字列抽出手段により抽出された文字列をその説明情報の見出し語に対応付けた付箋データとして記憶する付箋データ記憶手段と、を備えたことを特徴としている。
【０００９】
請求項２に記載の辞書機能を備えた電子装置は、前記請求項１に記載の辞書機能を備えた電子装置において、前記指定範囲独立表示制御手段により前記表示部に独立して表示された説明情報の指定範囲を、ユーザ操作に応じて移動して表示させる指定範囲移動表示制御手段を備えたことを特徴としている。
【００１０】
請求項３に記載の辞書機能を備えた電子装置は、前記請求項１または請求項２に記載の辞書機能を備えた電子装置において、前記表示部に表示された説明情報の指定範囲の大きさを、ユーザ操作に応じて、当該指定範囲に含まれる文字列と共に拡大または縮小して表示させる指定範囲拡大縮小表示制御手段を備えたことを特徴としている。
【００１１】
請求項４に記載の辞書機能を備えた電子装置は、前記請求項１ないし請求項３の何れか１項に記載の辞書機能を備えた電子装置において、ユーザ操作に応じて、前記表示部に表示された説明情報の指定範囲に対応する文字列の重要語を判断し、その説明情報の指定範囲を、前記重要語に応じた文字列だけを含む範囲に変換する指定範囲変換手段を備えたことを特徴としている。
【００１２】
請求項５に記載の辞書機能を備えた電子装置は、前記請求項１ないし請求項４の何れか１項に記載の辞書機能を備えた電子装置において、前記付箋データ記憶手段により付箋データとして記憶された各文字列に対応する見出し語を前記表示部に一覧にして表示させる付箋見出し語一覧表示制御手段と、この付箋見出し語一覧表示制御手段により表示された見出し語をユーザ操作に応じて選択し、この選択された見出し語に対応付けられた文字列を前記表示部に表示させる付箋見出し語からの付箋呼出表示制御手段と、を備えたことを特徴としている。
【００１３】
請求項６に記載の辞書機能を備えた電子装置は、前記請求項１ないし請求項５の何れか１項に記載の辞書機能を備えた電子装置において、類義語のグループを前記表示部に一覧にして表示させるグループ一覧表示制御手段と、このグループ一覧表示制御手段により表示された類義語のグループをユーザ操作に応じて選択すると、前記付箋データ記憶手段に記憶された付箋データに対応付けられた見出し語のうち前記選択されたグループに類義語として分類される見出し語を、前記表示部に選択可能に表示させる付箋見出し語表示制御手段と、この付箋見出し語表示制御手段により表示された見出し語をユーザ操作に応じて選択し、この選択された見出し語に対応付けられた文字列を前記表示部に表示させる類義語グループからの付箋呼出表示制御手段と、を備えたことを特徴としている。
【発明の効果】
【００１４】
本発明によれば、現在表示されている辞書情報の中で必要な情報だけを簡単に記憶し、簡単に呼び出すことが可能になる辞書機能を備えた電子装置を提供できる。
【発明を実施するための最良の形態】
【００１５】
以下図面により本発明の実施の形態について説明する。
【００１６】
図１は、本発明の辞書機能を備えた電子装置の実施形態に係る電子辞書装置１０の電子回路の構成を示すブロック図である。
【００１７】
この辞書機能を備えた電子装置は、以下に説明する電子辞書専用の携帯機器（電子辞書装置１０）として構成されるか、辞書機能を備えたＰＤＡ(personal digital assistants)、ＰＣ(personal computer)、携帯電話、電子ブックとして構成される。
【００１８】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１９】
ＣＰＵ１１は、記憶装置（フラッシュメモリ）１２内に予め記憶された装置制御プログラム、あるいはＲＯＭカードなどの外部記憶媒体１３から記憶媒体読み書き部１４を介して前記記憶装置１２に読み込まれた装置制御プログラム、あるいはインターネットＮ上のＷｅｂサーバ（この場合はプログラムサーバ）２０から通信制御部１５を介して前記記憶装置１２に読み込まれた装置制御プログラムに応じて、ＲＡＭ１６を作業用メモリとして回路各部の動作を制御する。
【００２０】
前記記憶装置１２に記憶された装置制御プログラムは、入力部１７からのユーザ操作に応じた入力信号、あるいは通信制御部１５を介して接続されるインターネットＮ上の各Ｗｅｂサーバ２０…との通信信号、あるいは記憶媒体読み書き部１４を介して外部接続されるＥＥＰＲＯＭ，ＲＡＭ，ＲＯＭなどのメモリ・カード（記憶媒体）１３との接続通信信号に応じて起動される。
【００２１】
前記ＣＰＵ１１には、前記記憶装置１２、記憶媒体読み書き部１４、通信制御部１５、ＲＡＭ１６、入力部１７が接続される他に、タッチパネル式表示部１８などが接続される。
【００２２】
記憶装置１２に記憶される装置制御プログラムとしては、当該電子辞書装置１０の全体の動作を司るシステムプログラムや通信制御部１５を介してインターネットＮ上の各Ｗｅｂサーバ２０…や図示しないユーザＰＣ(Personal Computer)などとデータ通信するための通信プログラムが記憶される他に、選択された辞書に対する検索文字列の入力に応じた見出し語検索処理と指定の見出し語に対応した訳語・意味内容・例文（用例）などの各種説明情報の読み出し表示処理、また表示された説明情報に対しユーザのタッチ操作に応じて指定された範囲内の情報を付箋データとして記憶する付箋データ作成処理、この付箋データ作成処理により記憶された付箋データを必要に応じて呼び出して表示する付箋データ呼出処理など、同記憶装置１２内に記憶された辞書データベース１２ｂに基づく辞書検索処理全般を制御するための各種処理プログラム１２ａが記憶される。
【００２３】
前記辞書データベース１２ｂが有する複数種類の辞書コンテンツ１２ｂ１，１２ｂ２，…としては、「国語辞典」「英和辞典」「和英辞典」「漢字辞典」「四字熟語辞典」「百科事典」など、種類の異なる辞書データが予め、あるいはダウンロードされて複数辞書記憶される。
【００２４】
各辞書コンテンツ１２ｂ１，１２ｂ２，…は、それぞれの言語に応じた所定の順番で配列された見出し語Ｗ、各見出し語Ｗに対応付けられた当該見出し語の訳語・意味内容・例文（用例）などの説明情報Ｄを有する。
【００２５】
また、前記記憶装置１２にはさらに、各種言語の類義語の辞書データ（英類語辞典など）を記憶した類義語辞書データベース１２ｃ、前記各種処理プログラム１２ａにおける付箋データ作成処理により作成された付箋データが記憶される付箋データメモリ１２ｄが備えられる。
【００２６】
ＲＡＭ１６には、タッチパネル式表示部１８の表示画面に対応した表示データの記憶領域を有し、その表示画面に表示すべきデータがビットマップのパターンデータとして展開記憶される表示データバッファ、前記各種処理プログラム１２ａに従って入力部１７によりユーザ入力された数字・文字・記号などの入力データが記憶保持される入力文字バッファ、辞書検索処理された見出し語や説明情報が記憶される検索結果バッファ、前記各種処理プログラム１２ａに従いＣＰＵ１１に入出力される種々のデータが必要に応じて記憶されるワークバッファの他、前記付箋データの作成モードか又は同付箋データの呼出モードかのモード設定データが記憶される付箋作成／呼出設定メモリ１６ａ、前記付箋呼出モードにおいて前記付箋データメモリ１２ｄに記憶された各付箋データを一覧表示の形態にして呼び出すか又は類義語となるグループ毎に分類した表示の形態にして呼び出すかの形態設定データが記憶される付箋呼出形態設定メモリ１６ｂなどが用意される。
【００２７】
入力部１７には、メニューキー１７ａ、文字入力キー１７ｂ、カーソルキー１７ｃ、訳／決定キー１７ｄなど、各種のキーが備えられる他に、前記タッチパネル式表示部１８に一体にして設けられた透明タッチパネル１７ｅからのタッチ位置検出信号が入力される。
【００２８】
タッチパネル式表示部１８は、液晶表示画面に透明タッチパネル１７ｅを重ね一体にして構成したものである。このタッチパネル式表示部１８（例えば、図３，図６参照）には、前記辞書検索処理の過程において検索された辞書情報（Ｇ）の表示（辞書情報表示Ｄ１）、ペンＰによりタッチされた範囲（軌跡）Ｌの表示（ペン入力表示Ｄ２）、辞書情報表示Ｄ１の表示画面上でのペン入力表示Ｄ２により指定された範囲Ｌの付箋データＦを作成した際の当該付箋データＦの辞書情報表示Ｄ１からの独立表示（付箋データ表示Ｄ３）、付箋データ呼出モードにおいて前記付箋データメモリ１２ｄから呼び出された各付箋データの一覧表示（付箋データ一覧表示Ｄ４）などが行われる。
【００２９】
次に、前記構成の電子辞書装置１０による動作を付箋データ作成機能と付箋データ呼出機能を主体として説明する。
【００３０】
（付箋データ作成機能）
図２は、前記電子辞書装置１０の付箋データ作成処理を示すフローチャートである。
【００３１】
図３は、前記電子辞書装置１０の付箋データ作成処理に伴うペンＰのタッチ操作に応じた付箋データＦの表示動作（その１）を示す図である。
【００３２】
図４は、前記電子辞書装置１０の付箋データ作成処理に伴うペンＰのタッチ操作に応じた付箋データＦの表示動作（その２）を示す図である。
【００３３】
ユーザ操作に応じた図示しない動作モードの設定画面において、付箋作成モードが選択され、ＲＡＭ１６内の付箋作成／呼出設定メモリ１６ａに設定された状態で、検索対象となるユーザ所望の辞書（１２ｂｎ）が選択される。そして、文字入力キー１７ｂにより所望の検索文字列が入力され、訳／決定キー１７ｄが入力されると、当該検索文字列に対応する見出し語が前記選択された辞書（１２ｂｎ）から検索されて一覧表示される。そして、この一覧表示された見出し語の中からカーソルキー１７ｃにより所望の見出し語が選択されると、選択された見出し語に対応する説明情報が前記選択された辞書（１２ｂｎ）から読み出され、例えば図３（Ａ）に示すような説明情報表示画面Ｇとして表示部１８に表示される（ステップＳ１）。
【００３４】
なお、図３（Ａ）は英和辞典（１２ｂｎ）に基づき検索された見出し語「take」に対応する説明情報表示画面Ｇを示している。
【００３５】
この説明情報表示画面Ｇにおいて、例えばカーソルキー１７ｃの入力操作に応じてその説明情報が所望の内容の部分までスクロールされて表示された状態で、図３（Ａ）に示すように、付箋データＦとして保存したい所望の情報部分の範囲がペンＰのタッチ操作により囲われて指定されると（ステップＳ２（ＹＥＳ）→Ｓ３ａ（ＹＥＳ））、当該ペンＰのタッチ位置の軌跡が範囲Ｌとして表示されると共に、この指定の範囲Ｌ（境界部分の文字含む）に含まれた文字列がその見出し語「take」と対応付けられた付箋データとして付箋データメモリ１２ｄに記憶される（ステップＳ４）。
【００３６】
なお、前記図３（Ａ）の範囲Ｌにて示したように、所望の情報部分をペンＰにより囲んで指定するのではなく、当該所望の情報部分の文字列を直接なぞるなどして指定した場合でも（ステップＳ３ｂ（ＹＥＳ））、その指定の範囲に対応するところの文字列がその見出し語「take」と対応付けられた付箋データＦとして付箋データメモリ１２ｄに記憶される（ステップＳ４）。
【００３７】
前記付箋データメモリ１２ｄに記憶される付箋データＦは、そのそれぞれの見出し語が、類義語辞書データベース１２ｃに基づき何れの類義語のグループに分類されるか判断され、この分類が判断された類義語のグループ見出しＧｎが付加されて記憶される（図７（Ｂ）（Ｃ）参照）。
【００３８】
例えば、ある付箋データＦの見出し語が「hold」または「conceive」または「foster」などであった場合には、類義語として分類したグループ見出しはＧ１(have-いだく[抱く][心に持つ])となり、また、ある付箋データＦの見出し語が「have got」または「possess」であった場合には、そのグループ見出しはＧ２(have-ある[有る,在る][持っている])となり、また、ある付箋データＦの見出し語が「equip」であった場合には、そのグループ見出しはＧ３(have-ある[有る,在る][含む・付属する])などとなる。
【００３９】
前記範囲Ｌにより囲まれた付箋データＦは、当該範囲Ｌのみのウインドウ画面として前記説明情報表示画面Ｇ上を独立に表示制御されるもので、ここで、図３（Ｂ）に示すように、前記付箋データＦとした範囲Ｌ内がペンＰによりタッチ入力され、矢印Ｘで示すように前記説明情報表示画面Ｇ上にて移動（スライド）操作されると（ステップＳ７（ＹＥＳ））、このタッチ位置のスライドに合わせて前記付箋データＦのウインドウ画面（範囲Ｌ）が移動表示される（ステップＳ８）。
【００４０】
これにより、前記説明情報表示画面Ｇ上にて生成した付箋データＦを、その説明情報の読み取りに邪魔にならない都合の良い位置に移動できる。
【００４１】
また、前記付箋データＦとした範囲Ｌの境界線上がペンＰによりタッチ入力され、当該付箋範囲Ｌの外側方向に移動（スライド）操作されるか、または、図３（Ｃ）に示すように、同付箋範囲Ｌの内側方向に移動（スライド）操作されると（ステップＳ５（ＹＥＳ））、このタッチ位置のスライドに合わせて前記付箋データＦのウインドウ画面（範囲Ｌ）がその中心位置を基準にして拡大または縮小表示される。この際、前記付箋データＦの範囲Ｌの拡大または縮小表示に合わせて、当該付箋データＦ内に含まれる各文字の文字フォントも拡大または縮小されて表示される（ステップＳ６）。
【００４２】
また、図４（Ａ）に示すような説明情報表示画面Ｇ上における付箋データＦの作成表示状態において、当該付箋データＦの範囲Ｌ内がペンＰにより２回タッチ入力されることでダブルクリックが検出されると（ステップＳ９（ＹＥＳ））、この付箋データＦに含まれる文字列から予め設定された重要語（マーキングや強調フォントの部分など）が判断される。この図４（Ａ）で示す付箋データＦ「(1)a[SVOM]<人が>…持って行く」の場合、具体的にはその中の「(1)」（図面上は丸数字の１）が重要語（マーキング）として判断される。そして、図４（Ｂ）に示すように、前記重要語を含む一定文字数の文字列「(1)a[SVOM]<人が>o<物>を[…へ]持」からなる簡略化付箋データＦ′に変換されその縮小範囲Ｌ′に合わせた境界線により囲まれて表示される（ステップＳ１０）。
【００４３】
この際、前記付箋データメモリ１２ｄに記憶されていた変換前の付箋データＦは、変換後の付箋データＦ′に書き換えられて記憶される。
【００４４】
このように、所望の辞書検索処理に伴う説明情報表示画面Ｇ上において、付箋データＦを作成して、ペンＰによるタッチ操作に応じて当該付箋データＦの拡大・縮小表示（図３（Ｃ）参照）、スライド移動表示（図３（Ｂ）参照）、簡略化付箋データＦ′への縮小変換表示（図４（Ｂ）参照）が行われている状態でも、例えば検索文字列の入力画面に戻る操作が行われたり、ジャンプ検索を実行するための操作が行われたりするなど、各種のユーザ操作が行われた場合には、当該ユーザ操作に応じた処理が実行されて表示画面が更新されるが、前記付箋データＦ（Ｆ′）はその時点の位置にウインドウ表示されたまま独立に表示保持される（ステップＳ１２）。
【００４５】
この後、前記付箋データＦ（Ｆ′）の範囲Ｌ（Ｌ′）内がペンＰによりタッチ入力され、入力部１７の削除キーが入力されると（ステップＳ１１）、当該付箋データＦ（Ｆ′）の表示は消去される（ステップＳ１３）。
【００４６】
なお、前記付箋データメモリ１２ｄに記憶される付箋データＦは、タッチ指定された範囲Ｌに含まれる文字列だけを説明情報の見出し語に対応付けて記憶するとして説明したが、当該タッチ指定された範囲Ｌに対応するところの説明情報の行に存在する全ての文字列を記憶してもよい。また、前記付箋データＦは同一の画面上にて複数作成し、この複数の付箋データＦ１，Ｆ２，…を同時表示してもよい。
【００４７】
（付箋データ呼出機能）
図５は、前記電子辞書装置１０の付箋データ呼出処理を示すフローチャートである。
【００４８】
図６は、前記電子辞書装置１０の付箋データ呼出処理に伴う付箋データＦの呼出表示動作（その１）を示す図である。
【００４９】
図７は、前記電子辞書装置１０の付箋データ呼出処理に伴う付箋データＦの呼出表示動作（その２）を示す図である。
【００５０】
ユーザ操作に応じた図示しない動作モードの設定画面において、付箋呼出モードが選択され、ＲＡＭ１６内の付箋作成／呼出設定メモリ１６ａに設定された状態において、付箋データメモリ１２ｄに記憶されている各付箋データＦ１，Ｆ２，…は、ユーザ操作に応じて付箋呼出形態設定メモリ１６ｂに設定される呼出形態に応じて表示される。
【００５１】
前記付箋呼出形態設定メモリ１６ｂにおいて、一覧表示の呼出形態として設定されている場合には、例えば図７（Ａ）に示すような付箋データ見出し語一覧画面ＡＦから表示され、また、類義語グループ表示の呼出形態として設定されている場合には、例えば図７（Ｂ）に示すような付箋データグループ見出し一覧画面ＧＦから表示される。
【００５２】
例えば各種のユーザ操作に伴う検索文字列の入力画面や検索された見出し語の一覧画面、あるいは選択決定された見出し語に対応した説明情報表示画面Ｇなど、種々の画面表示状態にあって、付箋データ呼出モードに設定されたと判断されると（ステップＡ１）、付箋呼出形態設定メモリ１６ｂにおける設定データに基づき、一覧表示の呼出形態として設定されているか、または類義語グループ表示の呼出形態として設定されているかが判断される（ステップＡ２）。
【００５３】
ここで、一覧表示の呼出形態として設定されていると判断された場合には、現在表示中の辞書情報の表示画面において、何れかの文字列が選択された状態であるか否かが判断され（ステップＡ３）、文字列の選択状態にないと判断された場合には（ステップＡ３（ＮＯ））、前記付箋データメモリ１２ｄに記憶されている各付箋データＦ１，Ｆ２，…の見出し語が読み出され、図７（Ａ）に示すような付箋データ見出し語一覧画面ＡＦとしてタッチパネル式表示部１８に表示される（ステップＡ４）。
【００５４】
そして、この付箋データ見出し語一覧画面ＡＦにおいて、所望の付箋見出し語がペンＰのタッチ操作により選択されると、当該選択された付箋見出し語に対応付けられた付箋データＦｎが前記付箋データメモリ１２ｄから読み出され、例えば前記図３で示したようにウインドウ画面として独立表示される（ステップＡ５）。
【００５５】
また、この一覧表示の呼出形態に設定されている状態において、例えば図６に示すように、ある説明情報表示画面Ｇにて、その中の所望の文字列にペンＰによるタッチ操作に応じた選択ラインＬｈが描画表示され、文字列選択された状態にあると判断された場合には（ステップＡ３（ＹＥＳ））、当該選択ラインＬｈに対応するところの文字列に含まれる各単語と一致する付箋見出し語が前記付箋データメモリ１２ｄから読み出され、付箋データ見出し語一覧画面ＡＦとしてその説明情報表示画面Ｇ上にウインドウ表示される（ステップＡ６）。
【００５６】
そして、この説明情報表示画面Ｇ上にウインドウ表示された付箋データ見出し語一覧画面ＡＦにおいて、所望の付箋見出し語がペンＰのタッチ操作により選択されると、当該選択された付箋見出し語に対応付けられた付箋データＦｎが前記付箋データメモリ１２ｄから読み出され、例えば前記図３で示したようにウインドウ画面として独立表示される（ステップＡ５）。
【００５７】
なお、本実施形態の電子辞書装置１０が、例えば手書きの文字を文字認識して入力するためのタッチパネル式サブ表示パネル３０を備えている場合には、前記説明情報表示画面Ｇ上にウインドウ表示した付箋データ見出し語一覧画面ＡＦは、矢印Ｘで示すように、当該タッチパネル式サブ表示パネル３０に表示させる構成としてもよい。
【００５８】
一方、付箋データ呼出モードに設定されたと判断された場合であって（ステップＡ１（ＹＥＳ））、付箋呼出形態設定メモリ１６ｂにおける設定データが、類義語グループ表示の呼出形態に設定されていると判断された場合には（ステップＡ２（グループ表示））、前記付箋データメモリ１２ｄに記憶されている各付箋データＦ１，Ｆ２，…にそれぞれ対応付加された類義語グループ見出しＧｎが読み出され、図７（Ｂ）に示すような付箋データグループ見出し一覧画面ＧＦとしてタッチパネル式表示部１８に表示される（ステップＡ７）。
【００５９】
この付箋データグループ見出し一覧画面ＧＦにおいて、所望のグループ見出しＧｎがペンＰによるタッチ操作により選択されると、当該選択されたグループ見出しＧｎが付加されて分類記憶されている各付箋データＦ１，Ｆ２，…の見出し語が読み出され、例えば図７（Ｃ）に示すように、選択グループ内の見出し語一覧画面Ｇ１Ｌ、または同選択グループ内の見出し語プルダウン画面Ｇ１Ｐとしてウインドウ表示される（ステップＡ８）。
【００６０】
そして、前記選択グループ内の見出し語一覧画面Ｇ１Ｌにおいて、所望の付箋見出し語がペンＰのタッチ操作により選択されるか、または前記選択グループ内の見出し語プルダウン画面Ｇ１Ｐにおいて、所望の付箋見出し語がペンＰのタッチ操作によりプルダウンされて選択されると、当該選択された付箋見出し語に対応付けられた付箋データＦｎが前記付箋データメモリ１２ｄから読み出され、例えば前記図３で示したようにウインドウ画面として独立表示される（ステップＡ５）。
【００６１】
このような付箋データＦｎの呼出処理によって、ユーザ所望の付箋データＦｎが呼び出されてタッチパネル式表示部１８に表示された状態では、前記付箋データ作成処理（図２参照）おけるステップＳ５〜Ｓ１３の処理が有効になり、当該表示された付箋データＦｎの拡大・縮小表示（図３（Ｃ）参照）、スライド移動表示（図３（Ｂ）参照）、簡略化付箋データＦ′への縮小変換表示（図４（Ｂ）参照）、そしてその消去表示が、他の各種のユーザ操作に応じた処理と並行して実行される。
【００６２】
したがって、前記構成の電子辞書装置１０による付箋データの作成／呼出機能によれば、ユーザ所望の見出し語に対応した説明情報表示画面Ｇの検索表示状態において、所望の情報が記述された範囲ＬをペンＰによるタッチ操作に応じて指定すると、この指定の範囲Ｌに含まれる文字列が当該範囲Ｌを境界線にして、この説明情報表示画面Ｇ上で独立にウインドウ表示されると共に、同指定の範囲Ｌに含まれる文字列データに前記説明情報の見出し語を対応付けた付箋データＦとして付箋データメモリ１２ｄに記憶される。このため、現在表示されている辞書情報の中で必要な情報だけを簡単に範囲指定した付箋データＦとして保存できる。
【００６３】
また、前記構成の電子辞書装置１０による付箋データの作成／呼出機能によれば、前記説明情報画面Ｇ上にて独立表示された範囲Ｌの付箋データＦは、その範囲Ｌ内をペンＰによりタッチして移動させることで、当該タッチ位置の移動に応じて付箋データＦの範囲Ｌも移動表示される。
【００６４】
また、前記付箋データＦの範囲Ｌの境界線をペンＰによりタッチし、そのタッチ位置を当該範囲Ｌより外側の方向または内側の方向に移動させると、この付箋データＦの範囲Ｌおよびそこに含まれる文字列は、その範囲Ｌの中心を基準にタッチ位置の移動に応じて拡大または縮小されて表示される。
【００６５】
このため、付箋データＦを、適当な位置に動かしたり拡大／縮小したりして、説明情報表示画面Ｇ内にある辞書情報の確認に邪魔になることなく、同時表示することができる。
【００６６】
また、前記構成の電子辞書装置１０による付箋データの作成／呼出機能によれば、前記付箋データＦの範囲Ｌ内をペンＰによるタッチ操作でダブルクリックすると、その範囲Ｌ内の文字列に含まれる重要語に対応した一定文字数の文字列部分だけからなる簡略化付箋データＦ′に縮小変換するので、ユーザにより指定された範囲Ｌ内の辞書情報よりもさらに重要度の高い情報部分だけを簡略化付箋データＦ′にして保存できる。
【００６７】
さらに、前記構成の電子辞書装置１０による付箋データの作成／呼出機能によれば、前記付箋データメモリ１２ｄに記憶された各付箋データＦ１，Ｆ２，…を呼び出す際は、当該付箋データＦ１，Ｆ２，…の見出し語を一覧にした付箋データ見出し語一覧画面ＡＦとして表示させるか、または類義語辞書データベース１２ｃに基づき各付箋データＦ１，Ｆ２，…の見出し語を類義語のグループＧｎ別に分類したグループ見出し一覧画面ＧＦとして表示させる。そして、前記付箋データ見出し語一覧画面ＡＦの場合には、当該画面ＡＦ内の所望の見出し語を選択することで、当該選択された見出し語に対応付けられた付箋データＦが読み出されてウインドウ表示される。また、前記グループ見出し一覧画面ＧＦの場合には、当該画面ＧＦ内の所望のグループ見出しＧｎを選択することで、当該選択されたグループ見出しＧｎに対応付けられた付箋データ見出し語が一覧表示Ｇ１Ｌまたはプルダウンメニュー表示Ｇ１Ｐされ、そこから所望の見出し語を選択することで、当該選択された見出し語に対応付けられた付箋データＦが読み出されてウインドウ表示される。
【００６８】
このため、前記所望の説明情報表示画面Ｇを基に作成して付箋データメモリ１２ｄに保存された複数の付箋データＦ１，Ｆ２，…の中から、所望の付箋データＦｎを簡単に呼び出して確認することができる。
【００６９】
なお、前記各実施形態において記載した電子辞書装置１０による各処理の手法、すなわち、図２のフローチャートに示す付箋データ作成処理、図５のフローチャートに示す付箋データ呼出処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書データベース１２ｂおよびタッチパネル式の表示部１８を有する電子装置（１０）のコンピュータは、この外部記憶媒体１３に記憶されたプログラムを記憶装置１２に読み込み、この読み込んだプログラムによって動作が制御されることにより、前記各実施形態において説明した付箋データの作成／呼出機能を実現し、前述した手法による同様の処理を実行することができる。
【００７０】
また、前記各手法を実現するためのプログラムのデータは、プログラムコードの形態としてネットワークＮ上を伝送させることができ、このプログラムデータを、ネットワークＮに接続された辞書データベース１２ｂおよびタッチパネル式の表示部１８を有する電子装置（１０）のコンピュータに通信制御部１５によって取り込むことで、前述した付箋データの作成／呼出機能を実現することもできる。
【００７１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７２】
【図１】本発明の辞書機能を備えた電子装置の実施形態に係る電子辞書装置１０の電子回路の構成を示すブロック図。
【図２】前記電子辞書装置１０の付箋データ作成処理を示すフローチャート。
【図３】前記電子辞書装置１０の付箋データ作成処理に伴うペンＰのタッチ操作に応じた付箋データＦの表示動作（その１）を示す図。
【図４】前記電子辞書装置１０の付箋データ作成処理に伴うペンＰのタッチ操作に応じた付箋データＦの表示動作（その２）を示す図。
【図５】前記電子辞書装置１０の付箋データ呼出処理を示すフローチャート。
【図６】前記電子辞書装置１０の付箋データ呼出処理に伴う付箋データＦの呼出表示動作（その１）を示す図。
【図７】前記電子辞書装置１０の付箋データ呼出処理に伴う付箋データＦの呼出表示動作（その２）を示す図。
【符号の説明】
【００７３】
１０  …電子辞書装置
１１  …ＣＰＵ
１２  …記憶装置
１２ａ…各種処理プログラム
１２ｂ…辞書データベース
１２ｂｎ…辞書コンテンツ
１２ｃ…類義語辞書データベース
１２ｄ…付箋データメモリ
１３  …外部記憶媒体
１４  …記憶媒体読み書き部
１５  …通信制御部
１６  …ＲＡＭ
１６ａ…付箋作成／呼出設定メモリ
１６ｂ…付箋呼出形態設定メモリ
１７  …入力部
１７ａ…メニューキー
１７ｂ…文字入力キー
１７ｃ…カーソルキー
１７ｄ…訳／決定キー
１７ｅ…タッチパネル
１８  …タッチパネル式表示部
２０  …Ｗｅｂサーバ
３０  …タッチパネル式サブ表示パネル
Ｎ    …通信ネットワーク（インターネット）
Ｐ    …ペン
Ｇ    …説明情報表示画面
Ｆ（Ｆ′）…付箋データ
Ｌ（Ｌ′）…指定範囲
ＡＦ  …付箋データ見出し語一覧画面
ＧＦ  …付箋データグループ見出し一覧画面
【図１】
2010015515.tif 000003
【図２】
2010015515.tif 000004
【図３】
2010015515.tif 000005
【図４】
2010015515.tif 000006
【図５】
2010015515.tif 000007
【図６】
2010015515.tif 000008
【図７】
2010015515.tif 000009